(57)【特許請求の範囲】
【請求項１】
被験者を診断支援するコンピュータシステムであって、
前記被験者の時系列の変化を伴う複数枚の第１被験者画像を取得する第１画像取得手段と、
取得した前記第１被験者画像に対して画像の特定部位毎に異なる色を付してマークされた画像について、マークされた色毎に画像解析する第１画像解析手段と、
過去の別の被験者の時系列の変化を伴う複数枚の第２被験者画像を取得する第２画像取得手段と、
取得した前記第２被験者画像に対して画像の特定部位毎に異なる色を付してマークされた画像について、マークされた色毎に画像解析する第２画像解析手段と、
前記第１被験者画像の画像解析の結果と、前記第２被験者画像の画像解析の結果とを照合する照合手段と、
照合した結果に基づいて、前記被験者を診断支援する診断支援手段と、
を備えることを特徴とするコンピュータシステム。
【請求項２】
前記照合手段は、前記第１被験者画像の特徴点と、前記第２被験者画像の特徴点とを照合する、
ことを特徴とする請求項１に記載のコンピュータシステム。
【請求項３】
前記照合手段は、前記第１被験者画像の特徴量と、前記第２被験者画像の特徴量とを照合する、
ことを特徴とする請求項１に記載のコンピュータシステム。
【請求項４】
前記診断支援手段は、照合した結果に基づいて、前記第１被験者画像と、前記第２被験者画像との間の類似度を算出し、診断支援する、
ことを特徴とする請求項１に記載のコンピュータシステム。
【請求項５】
前記診断支援手段は、照合した結果に基づいて、前記被験者の罹患に関するリスクを診断支援する、
ことを特徴とする請求項１に記載のコンピュータシステム。
【請求項６】
前記第１画像解析手段は、既知の第２被験者画像の特徴点を教師データとして機械学習
し、取得した前記第１被験者画像を画像解析する、
ことを特徴とする請求項１に記載のコンピュータシステム。
【請求項７】
前記第１画像解析手段は、既知の第２被験者画像の特徴量を教師データとして機械学習し、取得した前記第１被験者画像を画像解析する、
ことを特徴とする請求項１に記載のコンピュータシステム。
【請求項８】
前記第１被験者画像は、眼底画像であって、
前記第１画像解析手段は、取得した前記眼底画像に対してマークされた画像について画像解析し、
前記診断支援手段は、前記被験者の緑内障の診断支援をする、
ことを特徴とする請求項１に記載のコンピュータシステム。
【請求項９】
被験者を診断支援するコンピュータシステムが実行する被験者診断支援方法であって、
前記被験者の時系列の変化を伴う複数枚の第１被験者画像を取得するステップと、
取得した前記第１被験者画像に対して画像の特定部位毎に異なる色を付してマークされた画像について、マークされた色毎に画像解析するステップと、
過去の別の被験者の時系列の変化を伴う複数枚の第２被験者画像を取得するステップと、
取得した前記第２被験者画像に対して画像の特定部位毎に異なる色を付してマークされた画像について、マークされた色毎に画像解析するステップと、
前記第１被験者画像の画像解析の結果と、前記第２被験者画像の画像解析の結果とを照合するステップと、
照合した結果に基づいて、前記被験者を診断支援するステップと、
を備えることを特徴とする被験者診断支援方法。
【請求項１０】
被験者を診断支援するコンピュータシステムに、
前記被験者の時系列の変化を伴う複数枚の第１被験者画像を取得するステップ、
取得した前記第１被験者画像に対して画像の特定部位毎に異なる色を付してマークされた画像について、マークされた色毎に画像解析するステップ、
過去の別の被験者の時系列の変化を伴う複数枚の第２被験者画像を取得するステップ、
取得した前記第２被験者画像に対して画像の特定部位毎に異なる色を付してマークされた画像について、マークされた色毎に画像解析するステップ、
前記第１被験者画像の画像解析の結果と、前記第２被験者画像の画像解析の結果とを照合するステップ、
照合した結果に基づいて、前記被験者を診断支援するステップ、
を実行させるためのプログラム。
【発明の詳細な説明】
【技術分野】
【０００１】
本発明は、被験者を診断支援するコンピュータシステム、被験者診断支援方法及びプログラムに関する。
【背景技術】
【０００２】
近年、人工知能で画像診断を行うことが知られている（非特許文献１参照）。この方法では、ディープラーニング等で画像データを解析して、病気を判定する。
【先行技術文献】
【非特許文献】
【０００３】
【非特許文献１】LPTech、“人工知能で正確な画像診断を行う「Enlitic」、平成２８年９月１５日、［平成２８年１２月２２日検索］、インターネット＜URL：//https://lp-tech.net/articles/TXrrN＞
【発明の概要】
【発明が解決しようとする課題】
【０００４】
しかしながら、非特許文献１の構成では、取得できた画像データのみで病気や症状を判定するものであり、複数の画像データを解析して、予測を行うものではなかった。
【０００５】
本発明は、時系列の複数の画像データを組み合わせ、従来の単体の画像解析による診断よりも、さらに診断の精度を向上させたコンピュータシステム、被験者診断支援方法及びプログラムを提供することを目的とする。
【課題を解決するための手段】
【０００６】
本発明では、以下のような解決手段を提供する。
【０００７】
本発明は、被験者を診断支援するコンピュータシステムであって、
前記被験者の時系列の変化を伴う複数枚の第１被験者画像を取得する第１画像取得手段と、
取得した前記第１被験者画像に対して画像の特定部位毎に異なる色を付してマークされた画像について、マークされた色毎に画像解析する第１画像解析手段と、
過去の別の被験者の時系列の変化を伴う複数枚の第２被験者画像を取得する第２画像取得手段と、
取得した前記第２被験者画像に対して画像の特定部位毎に異なる色を付してマークされた画像について、マークされた色毎に画像解析する第２画像解析手段と、
前記第１被験者画像の画像解析の結果と、前記第２被験者画像の画像解析の結果とを照合する照合手段と、
照合した結果に基づいて、前記被験者を診断支援する診断支援手段と、
を備えることを特徴とするコンピュータシステムを提供する。
【０００８】
本発明によれば、被験者を診断支援するコンピュータシステムは、前記被験者の時系列の変化を伴う複数枚の第１被験者画像を取得し、取得した前記第１被験者画像に対して画像の特定部位毎に異なる色を付してマークされた画像について、マークされた色毎に画像解析し、過去の別の被験者の時系列の変化を伴う複数枚の第２被験者画像を取得し、取得した前記第２被験者画像に対して画像の特定部位毎に異なる色を付してマークされた画像について、マークされた色毎に画像解析し、前記第１被験者画像の画像解析の結果と、前記第２被験者画像の画像解析の結果とを照合し、照合した結果に基づいて、前記被験者を診断支援する。
【０００９】
本発明は、コンピュータシステムのカテゴリであるが、被験者診断支援方法及びプログラム等の他のカテゴリにおいても、そのカテゴリに応じた同様の作用・効果を発揮する。
【発明の効果】
【００１０】
本発明によれば、時系列の複数の画像データを組み合わせ、従来の単体の画像解析による診断よりも、さらに診断の精度を向上させたコンピュータシステム、被験者診断支援方法及びプログラムを提供することが可能となる。
【図面の簡単な説明】
【００１１】
【図１】図１は、被験者診断支援システム１の概要を示す図である。
【図２】図２は、被験者診断支援システム１の全体構成図である。
【図３】図３は、コンピュータ１０の機能ブロック図である。
【図４】図４は、コンピュータ１０が実行する学習処理を示すフローチャートである。
【図５】図５は、コンピュータ１０が実行する動物診断支援処理を示すフローチャートである。
【図６】図６は、コンピュータ１０が照合する第１被験者画像と、第２被験者画像とを示す図である。
【発明を実施するための形態】
【００１２】
以下、本発明を実施するための最良の形態について図を参照しながら説明する。なお、これはあくまでも一例であって、本発明の技術的範囲はこれに限られるものではない。
【００１３】
［被験者診断支援システム１の概要］
本発明の好適な実施形態の概要について、図１に基づいて説明する。図１は、本発明の好適な実施形態である被験者診断支援システム１の概要を説明するための図である。被験者診断支援システム１は、コンピュータ１０から構成され、被験者を診断支援するコンピュータシステムである。
【００１４】
なお、以下において、被験者診断支援システム１は、一例として、眼底画像を取得し、眼底画像に対してマークされた画像について画像解析し、被験者の緑内障の診断支援をするものとして説明する。また、被験者とは、患者のみならず、診断支援が必要な健常者を含む。
【００１５】
コンピュータ１０は、図示していない可視光カメラ、Ｘ線カメラ、ＭＲＩ（Ｍａｇｎｅｔｉｃ  Ｒｅｓｏｎａｎｓｅ  Ｉｍａｇｉｎｇ）、ＣＴ（Ｃｏｍｐｕｔｅｄ  Ｔｏｍｏｇｒａｐｈｙ）等の各種撮像装置等や、電子カルテ等が記憶された図示していないコンピュータ、バイタルデータを計測する計測装置、各種検査を実行する検査装置、医師又は被験者が保有する端末装置等に通信可能に接続された計算装置である。
【００１６】
はじめに、コンピュータ１０は、被験者の時系列の変化を伴う複数枚の第１被験者画像を取得する（ステップＳ０１）。コンピュータ１０は、第１被験者画像として、眼底画像、レントゲン画像、ＭＲＩ画像、ＣＴスキャン画像又は赤外線画像のいずれか又は複数の組み合わせを取得する。コンピュータ１０は、上述した各種撮像装置が撮像した上述した第１被験者画像を取得する。なお、第１被験者画像は、上述した画像に限らず、その他の画像であってもよい。
【００１７】
コンピュータ１０は、取得した第１被験者画像を画像解析する（ステップＳ０２）。コンピュータ１０は、第１被験者画像の特徴点又は特徴量のいずれか又は双方を解析することにより、画像解析を実行する。特徴点とは、画像に映っている何かであり具体的には、形状、色、輝度、輪郭等である。特徴量とは、画像データから算出した各種数値（画素値の平均、分散、ヒストグラム）等の統計的な数値である。
【００１８】
なお、コンピュータ１０は、後述する第２被験者画像の特徴点又は特徴量のいずれか又は双方を教師データとして予め機械学習し、この学習結果に基づいて、第１被験者画像を画像解析しもよい。また、コンピュータ１０は、図示していない端末装置等により、第１被験者画像に対してマークされた（色付けされた）画像について画像解析を行ってもよい。マークとは、画像の特定部位毎等に異なる色を付けることを意味する。
【００１９】
コンピュータ１０は、過去の別の被験者の時系列の変化を伴う複数枚の第２被験者画像を取得する（ステップＳ０３）。コンピュータ１０は、図示していない他のコンピュータやデータベース等から、第２被験者画像を取得する。このとき、コンピュータ１０は、一又は複数の第２被験者画像を取得する。
【００２０】
コンピュータ１０は、取得した第２被験者画像を画像解析する（ステップＳ０４）。コンピュータ１０は、第２被験者画像の特徴点又は特徴量のいずれか又は双方を解析することにより、画像解析を実行する。このとき、コンピュータ１０は、上述した第１被験者画像の画像解析と同様の画像解析を実行する。すなわち、コンピュータ１０は、第１被験者画像に対して、特徴点を解析した場合、第２被験者画像の特徴点を解析し、第１被験者画像に対して、特徴量を解析した場合、第２被験者画像の特徴量を解析し、第１被験者画像に対して、特徴点及び特徴量を解析した場合、第２被験者画像の特徴点及び特徴量を解析する。
【００２１】
なお、コンピュータ１０は、図示していない端末装置等により、第２被験者画像に対してマークされた（色付けされた）画像について画像解析を行ってもよい。
【００２２】
コンピュータ１０は、第１被験者画像の画像解析の結果と、第２被験者画像の画像解析の結果とを照合する（ステップＳ０５）。コンピュータ１０は、第１被験者画像から解析した特徴点又は特徴量のいずれか又は双方と、第２被験者画像から解析した特徴点又は特徴量のいずれか又は双方とを照合する。
【００２３】
コンピュータ１０は、照合した結果に基づいて、被験者を診断支援する（ステップＳ０６）。コンピュータ１０は、例えば、照合した結果に基づいて、第１被験者画像と、第２被験者画像との間の類似度を算出し、被験者を診断支援する。
【００２４】
なお、コンピュータ１０は、照合した結果に基づいて、被験者の罹患に関するリスクを診断支援してもよい。罹患に関するリスクとは、例えば診断支援した病気に何パーセント程度、その被験者が罹患しているかの数字を示す。
【００２５】
以上が、被験者診断支援システム１の概要である。
【００２６】
［被験者診断支援システム１のシステム構成］
図２に基づいて、本発明の好適な実施形態である被験者診断支援システム１のシステム構成について説明する。図２は、本発明の好適な実施形態である被験者診断支援システム１のシステム構成を示す図である。被験者診断支援システム１は、コンピュータ１０、公衆回線網（インターネット網や、第３、第４世代通信網等）５から構成され、被験者を診断支援するコンピュータシステムである。
【００２７】
コンピュータ１０は、後述の機能を備えた上述した計算装置である。
【００２８】
［各機能の説明］
図３に基づいて、本発明の好適な実施形態である被験者診断支援システム１の機能について説明する。図３は、コンピュータ１０の機能ブロック図を示す図である。
【００２９】
コンピュータ１０は、制御部１１として、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を備え、通信部１２として、他の機器と通信可能にするためのデバイス、例えば、ＩＥＥＥ８０２．１１に準拠したＷｉＦｉ（Ｗｉｒｅｌｅｓｓ  Ｆｉｄｅｌｉｔｙ）対応デバイスを備える。また、コンピュータ１０は、記憶部１３として、ハードディスクや半導体メモリ、記録媒体、メモリカード等によるデータのストレージ部を備える。また、コンピュータ１０は、処理部１４として、画像処理、状態診断支援、学習処理等の各種処理を実行するためのデバイス等を備える。
【００３０】
コンピュータ１０において、制御部１１が所定のプログラムを読み込むことにより、通信部１２と協働して、被験者画像取得モジュール２０、診断結果取得モジュール２１を実現する。また、コンピュータ１０において、制御部１１が所定のプログラムを読み込むことにより、記憶部１３と協働して、記憶モジュール３０を実現する。また、コンピュータ１０において、制御部１１が所定のプログラムを読み込むことにより、処理部１４と協働して解析モジュール４０、学習モジュール４１、照合モジュール４２、診断モジュール４３を実現する。
【００３１】
［学習処理］
図４に基づいて、被験者診断支援システム１が実行する学習処理について説明する。図４は、コンピュータ１０が実行する学習処理のフローチャートを示す図である。上述した各モジュールが実行する処理について、本処理に併せて説明する。
【００３２】
被験者画像取得モジュール２０は、既知の第２被験者画像を取得する（ステップＳ１０）。第２被験者画像は、被験者の時系列の変化を伴う複数枚の画像を一の画像としたものである。ステップＳ１０において、被験者画像取得モジュール２０が取得する第２被験者画像とは、例えば、被験者の眼底画像、レントゲン画像、ＭＲＩ画像、ＣＴスキャン画像又は赤外線画像の少なくとも一つである。被験者画像取得モジュール２０は、第２被験者画像を、対応する撮像装置から取得してもよいし、図示してないコンピュータ等を介して取得してもよいし、このコンピュータ等に記憶されたデータベース等から、第２被験者画像を取得してもよい。以下の説明において、被験者画像取得モジュール２０は、第２被験者画像として、眼底画像を取得したものとして説明する。
【００３３】
解析モジュール４０は、取得した第２被験者画像から特徴点又は特徴量のいずれか又は双方を画像解析する（ステップＳ１１）。特徴点とは、第２被験者画像に映っている何かであり、具体的には、画像に映っている物体等の形状、輝度、色、輪郭等である。また、特徴量とは、第２被験者画像から算出した各種数値（画素値の平均、分散、ヒストグラム）等の統計的な数値である。ステップＳ１１において、解析モジュール４０は、第２被験者画像を画像解析することにより、特徴点や特徴量を抽出する。具体的には、解析モジュール４０は、第２被験者画像に対して、画像マッチング技術、ブロブ解析等を実行することにより、画像解析を行う。また、解析モジュール４０は、第２被験者画像に対して、所定の計算を実行することにより、特徴量を抽出する。
【００３４】
診断結果取得モジュール２１は、今回取得した第２被験者画像に該当する被験者の診断支援結果を取得する（ステップＳ１２）。ステップＳ１２において、診断結果取得モジュール２１は、取得した第２被験者画像に紐付けられたこの被験者に対する診断支援結果を取得する。診断結果取得モジュール２１は、この診断支援結果を、図示してないコンピュータ等を介して取得してもよいし、このコンピュータ等に記憶されたデータベース等から取得する。本実施形態における診断支援結果とは、例えば、病名の特定、症状の特定、必要な処置の特定等である。
【００３５】
学習モジュール４１は、第２被験者画像と、診断支援結果とを対応付けて学習する（ステップＳ１３）。ステップＳ１３において、学習モジュール４１は、被験者画像取得モジュール２０が取得した第２被験者画像と、診断結果取得モジュール２１が取得した診断支援結果とを対応付けて学習する。学習モジュール４１は、上述した被験者の眼底画像、レントゲン画像、ＭＲＩ画像、ＣＴスキャン画像又は赤外線画像の少なくとも一つを診断支援結果と対応付けて学習する。学習モジュール４１が実行する学習とは、データから反復的に学習し、そこに潜むパターンを見つけ出す機械学習である。
【００３６】
なお、上述したステップＳ１１乃至Ｓ１３の処理において、解析モジュール４０が特徴点又は特徴量のいずれか又は双方を抽出する代わりに、図示していない医療従事者が保有する端末装置等により、色付けされた第２被験者画像に基づいて、学習モジュール４１は、第２被験者画像と診断支援結果とを対応付けて学習してもよい。この場合、解析モジュール４０は、マーク（色付け）された第２被験者画像と、診断支援結果とを対応付けて学習する。
【００３７】
第２被験者画像における各画像の其々は、上述した端末装置等により、マークを付与される。解析モジュール４０は、このマークされた画像について画像解析する。すなわち、マークされた部位の特徴点又は特徴量のいずれか又は双方を抽出する。なお、解析モジュール４０は、このマークされた部位の面積や、形状等を特徴点や特徴量として抽出してもよい。
【００３８】
記憶モジュール３０は、学習した結果を、学習結果として記憶する（ステップＳ１４）。
【００３９】
被験者診断支援システム１は、上述した学習処理を、十分な回数実行し、学習した結果を記憶する。
【００４０】
以上が、学習処理である。
【００４１】
［被験者診断支援処理］
図５に基づいて、被験者診断支援システム１が実行する被験者診断支援処理について説明する。図５は、コンピュータ１０が実行する被験者診断支援処理のフローチャートを示す図である。上述した各モジュールが実行する処理について、本処理に併せて説明する。なお、以下の説明において、被験者診断支援システム１は、眼底画像に基づいて被験者を診断支援するものとして説明する。
【００４２】
被験者画像取得モジュール２０は、第１被験者画像を取得する（ステップＳ２０）。第１被験者画像とは、被験者の時系列の変化に伴う複数枚の画像を一の画像としたものである。ステップＳ２０において、被験者画像取得モジュール２０が取得する第１被験者画像とは、例えば、被験者の眼底画像、レントゲン画像、ＭＲＩ画像、ＣＴスキャン画像又は赤外線画像の少なくとも一つである。被験者画像取得モジュール２０は、第１被験者画像を、対応する撮像装置から取得してもよいし、図示してないコンピュータ等を介して取得してもよいし、このコンピュータ等に記憶されたデータベース等から、第１被験者画像を取得してもよい。具体的には、被験者の以前からの画像（例えば、図示していないコンピュータ等に記憶しておいた画像）と、今回撮像装置等により撮像した画像とを、時系列の変化に沿ってまとめた一の画像を第１被験者画像として取得する。以下の説明において、被験者画像取得モジュール２０は、第１被験者画像として、眼底画像を取得したものとして説明する。
【００４３】
解析モジュール４０は、取得した第１被験者画像から特徴点又は特徴量のいずれか又は双方を画像解析する（ステップＳ２１）。特徴点及び特徴量は、上述した通りである。解析モジュール４０は、上述したステップＳ１１と同様に、第１被験者画像の特徴点や特徴量を抽出する。このとき、解析モジュール４０は、マーク（色付け）された第１被験者画像について画像解析する。マークされた第１被験者画像とは、画像の特定部位毎等に異なる色付けを行った画像である。このマークは、図示していない端末装置等により付与されたり、自動的に付与される。解析モジュール４０は、マークされた第１被験者画像の色毎に、特徴点や特徴量の抽出を行う。
【００４４】
被験者画像取得モジュール２０は、第２被験者画像を取得する（ステップＳ２２）。ステップＳ２２において、被験者画像取得モジュール２０は、上述したステップＳ１４の処理により、記憶モジュール３０が記憶した学習結果を第２被験者画像として取得する。このとき、被験者画像取得モジュール２０が取得する第２被験者画像には、マークが付与されている。
【００４５】
なお、被験者画像取得モジュール２０は、学習結果ではなく、過去の別の被験者の時系列の変化を伴う複数枚の画像を第２被験者画像として取得してもよい。また、被験者画像取得モジュール２０は、マークが付与されていない状態の第２被験者画像を取得してもよい。
【００４６】
解析モジュール４０は、取得した第２被験者画像から特徴点又は特徴量のいずれか又は双方を画像解析する（ステップＳ２３）。ステップＳ２３の処理は、上述したステップＳ１１及びステップＳ２１の処理と同様に、第２被験者画像の特徴点や特徴量を抽出する。
【００４７】
照合モジュール４２は、第１被験者画像の画像解析の結果と、第２被験者画像の画像解析の結果とを照合する（ステップＳ２４）。ステップＳ２４において、照合モジュール４２は、第１被験者画像から抽出した特徴点又は特徴量のいずれか又は双方と、第２被験者画像から解析した特徴点のいずれか又は双方とを照合する。このとき、照合モジュール４２は、第１被験者画像から特徴点を抽出した場合、第１被験者画像の特徴点と、第２被験者画像の特徴点とを照合する。同様に、第１被験者画像から特徴量を抽出した場合、第１被験者画像の特徴点と、第２被験者画像の特徴量とを照合し、第１被験者画像から特徴点及び特徴量を抽出した場合、第１被験者画像の特徴点及び特徴量と、第２被験者画像の特徴点及び特徴量とを照合する。具体的な照合の方法については、後述する。
【００４８】
図６に基づいて、照合モジュール４２が照合する第１被験者画像と、第２被験者画像とについて説明する。図６は、照合モジュール４２が照合する第１被験者画像と、第２被験者画像とを示す図である。図６において、照合モジュール４２は、第１被験者画像表示領域１００に、第１被験者画像（第１の眼底画像２００、第２の眼底画像２１０、第３の眼底画像２２０）を並べ、第２被験者画像表示領域１１０に、第２被験者画像（第４の眼底画像３００、第５の眼底画像３１０）を並べて照合する。第１の眼底画像２００、第２の眼底画像２１０、第３の眼底画像２２０は、この順番にある被験者の時系列の変化を示す。また、第４の眼底画像３００、第５の眼底画像３１０は、第１被験者画像とは異なる過去の別の被験者の時系列の変化を示す。ここで、第５の眼底画像３１０は、緑内障を発症した状態の眼底画像である。照合モジュール４２は、第４の眼底画像３００から第５の眼底画像３１０への変化を、特徴点や特徴量として、第１被験者画像と照合する。このとき、照合モジュール４２は、第１被験者画像における変化と、第２被験者画像における変化との間に類似点がどの程度存在するかの類似度をスコアとして判断する。このスコアは、例えば、変化の類似点が多い程、高スコアとして判断し、変化の類似点が少ない程、低スコアとして判断する。照合モジュール４２は、第１被験者画像の変化を、特徴点や特徴量として照合し、第２の被験者画像における緑内障が発症した状態の眼底画像との類似点が高スコアであるか否かを判断することにより、この被験者が緑内障を発症しているか否かを判断する。
【００４９】
なお、照合モジュール４２が照合する第１被験者画像及び第２被験者画像の数は、上述した数に限らず、適宜変更可能である。また、照合モジュール４２は、第１被験者画像及び第２被験者画像に加え、さらに多くの被験者画像を照合してもよい。
【００５０】
診断モジュール４３は、照合した結果に基づいて、被験者を診断支援する（ステップＳ２５）。ステップＳ２５において、診断モジュール４３は、照合モジュール４２が算出した類似度に基づいて、被験者を診断支援する。例えば、診断モジュール４３は、照合した結果、類似度が所定の値以上のスコアであった場合、第２被験者画像に対して行われた診断支援結果と同様の診断支援結果を、この被験者に対して診断支援する。このとき、診断モジュール４３は、病名や処置そのものを診断支援結果として診断支援してもよいし、被験者の罹患に関するリスクを診断支援してもよい。罹患に関するリスクとは、例えば、診断支援した病名に罹患している確率が何パーセント程度であるか、将来の該当する病名に罹患する確率が何パーセント程度であるか等である。
【００５１】
なお、診断モジュール４３は、照合した結果、類似度が所定の値よりも小さいスコアであった場合、他の第２被験者画像をさらに照合することにより、その他の診断支援結果を、この被験者に対して診断支援する。
【００５２】
上述した手段、機能は、コンピュータ（ＣＰＵ、情報処理装置、各種端末を含む）が、所定のプログラムを読み込んで、実行することによって実現される。プログラムは、例えば、コンピュータからネットワーク経由で提供される（ＳａａＳ：ソフトウェア・アズ・ア・サービス）形態で提供される。また、プログラムは、例えば、フレキシブルディスク、ＣＤ（ＣＤ−ＲＯＭなど）、ＤＶＤ（ＤＶＤ−ＲＯＭ、ＤＶＤ−ＲＡＭなど）等のコンピュータ読取可能な記録媒体に記録された形態で提供される。この場合、コンピュータはその記録媒体からプログラムを読み取って内部記憶装置又は外部記憶装置に転送し記憶して実行する。また、そのプログラムを、例えば、磁気ディスク、光ディスク、光磁気ディスク等の記憶装置（記録媒体）に予め記録しておき、その記憶装置から通信回線を介してコンピュータに提供するようにしてもよい。
【００５３】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００５４】
１  被験者診断支援システム、  １０  コンピュータ
【要約】
【課題】時系列の複数の画像データを組み合わせ、従来の単体の画像解析による診断よりも、さらに診断の精度を向上させたコンピュータシステム、被験者診断方法及びプログラムを提供することを目的とする。
【解決手段】被験者を診断するコンピュータシステムは、前記被験者の時系列の変化を伴う複数枚の第１被験者画像を取得し、取得した前記第１被験者画像を画像解析し、過去の別の被験者の時系列の変化を伴う複数枚の第２被験者画像を取得し、取得した前記第２被験者画像を画像解析し、前記第１被験者画像の画像解析の結果と、前記第２被験者画像の画像解析の結果とを照合し、照合した結果に基づいて、前記被験者を診断する。
【選択図】図１【図１】
0006433632.tif 000002
【図２】
0006433632.tif 000003
【図３】
0006433632.tif 000004
【図４】
0006433632.tif 000005
【図５】
0006433632.tif 000006
【図６】
0006433632.tif 000007